【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行される、ワイヤレス通信のための方法であって、
少なくとも第１のコンポーネントキャリア（ＣＣ）と第２のＣＣとを備える構成を受信することと、前記構成が、前記第１のＣＣおよび前記第２のＣＣが時間領域複信（ＴＤＤ）キャリアタイプを有するか周波数領域複信（ＦＤＤ）キャリアタイプを有するか、前記第１のＣＣおよび前記第２のＣＣの１次もしくは２次のＣＣとしての指定、または物理アップリンク制御チャネル（ＰＵＣＣＨ）の数のうちの少なくとも１つに少なくとも部分的に基づく、
前記第１のＣＣおよび前記第２のＣＣのうちの少なくとも１つのためのハイブリッド自動再送要求（ＨＡＲＱ）タイミングを決定することと、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、
前記決定されたＨＡＲＱタイミングに少なくとも部分的に基づいて前記第１のＣＣおよび前記第２のＣＣのうちの前記少なくとも１つを使用して通信することと
を備え、
前記ｅＩＭＴＡの対象となる前記少なくとも１つのＣＣが前記１次ＣＣであり、ＰＵＣＣＨの前記数が１であり、前記１つのＰＵＣＣＨが前記１次ＣＣ上にある場合、前記１次ＣＣと前記２次ＣＣの両方のための前記ＨＡＲＱタイミングが、前記１次ＣＣの半静的ＤＬ／ＵＬサブフレーム構成に基づく、方法。
【請求項２】
ユーザ機器（ＵＥ）によって実行される、ワイヤレス通信のための方法であって、
少なくとも第１のコンポーネントキャリア（ＣＣ）と第２のＣＣとを備える構成を受信することと、前記構成が、前記第１のＣＣおよび前記第２のＣＣが時間領域複信（ＴＤＤ）キャリアタイプを有するか周波数領域複信（ＦＤＤ）キャリアタイプを有するか、前記第１のＣＣおよび前記第２のＣＣの１次もしくは２次のＣＣとしての指定、または物理アップリンク制御チャネル（ＰＵＣＣＨ）の数のうちの少なくとも１つに少なくとも部分的に基づく、
前記第１のＣＣおよび前記第２のＣＣのうちの少なくとも１つのためのハイブリッド自動再送要求（ＨＡＲＱ）タイミングを決定することと、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、
前記決定されたＨＡＲＱタイミングに少なくとも部分的に基づいて前記第１のＣＣおよび前記第２のＣＣのうちの前記少なくとも１つを使用して通信することと
を備え、
前記ｅＩＭＴＡの対象となる前記少なくとも１つのＣＣが前記２次ＣＣであり、前記１次ＣＣがＴＤＤキャリアタイプである場合、前記１次ＣＣと前記２次ＣＣの両方のための前記ＨＡＲＱタイミングが、前記２次ＣＣの半静的ＤＬ／ＵＬサブフレーム構成に基づく、方法。
【請求項３】
ユーザ機器（ＵＥ）によって実行される、ワイヤレス通信のための方法であって、
少なくとも第１のコンポーネントキャリア（ＣＣ）と第２のＣＣとを備える構成を受信することと、前記構成が、前記第１のＣＣおよび前記第２のＣＣが時間領域複信（ＴＤＤ）キャリアタイプを有するか周波数領域複信（ＦＤＤ）キャリアタイプを有するか、前記第１のＣＣおよび前記第２のＣＣの１次もしくは２次のＣＣとしての指定、または物理アップリンク制御チャネル（ＰＵＣＣＨ）の数のうちの少なくとも１つに少なくとも部分的に基づく、
前記第１のＣＣおよび前記第２のＣＣのうちの少なくとも１つのためのハイブリッド自動再送要求（ＨＡＲＱ）タイミングを決定することと、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、
前記決定されたＨＡＲＱタイミングに少なくとも部分的に基づいて前記第１のＣＣおよび前記第２のＣＣのうちの前記少なくとも１つを使用して通信することと
を備え、
前記ｅＩＭＴＡの対象となる前記少なくとも１つのＣＣが前記２次ＣＣであり、前記１次ＣＣがＦＤＤキャリアタイプである場合、前記２次ＣＣのための前記ＨＡＲＱタイミングが、前記２次ＣＣの動的ＤＬ／ＵＬサブフレーム構成に基づく、方法。
【請求項４】
ユーザ機器（ＵＥ）によって実行される、ワイヤレス通信のための方法であって、
少なくとも第１のコンポーネントキャリア（ＣＣ）と第２のＣＣとを備える構成を受信することと、
前記第１のＣＣおよび前記第２のＣＣのうちの少なくとも１つのためのハイブリッド自動再送要求（ＨＡＲＱ）タイミングを決定することと、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、前記ＨＡＲＱタイミングを決定することが、アップリンク制御情報（ＵＣＩ）報告のためのＨＡＲＱタイミングを決定することを備え、前記ＨＡＲＱタイミングが、前記ＵＣＩ報告を送るための１つまたは複数のサブフレームを示す、
前記決定されたＨＡＲＱタイミングに少なくとも部分的に基づいて前記第１のＣＣおよび前記第２のＣＣのうちの前記少なくとも１つを使用して通信することと、
前記ＵＣＩ報告が前記ｅＩＭＴＡの対象となる前記少なくとも１つのＣＣのためのものかどうか、または、前記ＵＣＩ報告が固定のサブフレームに関連しているか、動的に決定されたサブフレームに関連しているかに基づいて前記ＵＣＩの送信を優先順位付けすること
を備える、方法。
【請求項５】
ユーザ機器（ＵＥ）によって実行される、ワイヤレス通信のための方法であって、
少なくとも第１のコンポーネントキャリア（ＣＣ）と第２のＣＣとを備える構成を受信することと、
前記第１のＣＣおよび前記第２のＣＣのうちの少なくとも１つのためのハイブリッド自動再送要求（ＨＡＲＱ）タイミングを決定することと、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、前記ＨＡＲＱタイミングを決定することが、アップリンク制御情報（ＵＣＩ）報告のためのＨＡＲＱタイミングを決定することを備え、前記ＨＡＲＱタイミングが、前記ＵＣＩ報告を送るための１つまたは複数のサブフレームを示す、
前記決定されたＨＡＲＱタイミングに少なくとも部分的に基づいて前記第１のＣＣおよび前記第２のＣＣのうちの前記少なくとも１つを使用して通信することと
を備え、
前記ＵＣＩ報告を送るための前記ＨＡＲＱタイミングを決定することが、ｅＩＭＴＡの対象となる前記少なくとも１つのＣＣが物理アップリンク制御チャネル（ＰＵＣＣＨ）を担持する前記ＣＣであるかどうかに少なくとも部分的に基づく、方法。
【請求項６】
前記ｅＩＭＴＡの対象となる前記少なくとも１つのＣＣがＰＵＣＣＨを担持する前記ＣＣである場合、前記ｅＩＭＴＡの対象となる前記少なくとも１つのＣＣ上でＵＣＩ報告を送るための前記ＨＡＲＱタイミングが、動的に決定されたアップリンクサブフレームを使用する、請求項５に記載の方法。
【請求項７】
前記ｅＩＭＴＡの対象となる前記少なくとも１つのＣＣがＰＵＣＣＨを担持する前記ＣＣでない場合、前記ＰＵＣＣＨを担持する前記ＣＣ上でＵＣＩ報告を送るための前記ＨＡＲＱタイミングが、固定のアップリンクサブフレームを使用する、請求項５に記載の方法。
【請求項８】
ワイヤレス通信のための装置であって、
少なくとも第１のコンポーネントキャリア（ＣＣ）と第２のＣＣとを備える構成を受信するための手段と、前記構成が、前記第１のＣＣおよび前記第２のＣＣが時間領域複信（ＴＤＤ）キャリアタイプを有するか周波数領域複信（ＦＤＤ）キャリアタイプを有するか、前記第１のＣＣおよび前記第２のＣＣの１次もしくは２次のＣＣとしての指定、または物理アップリンク制御チャネル（ＰＵＣＣＨ）の数のうちの少なくとも１つに少なくとも部分的に基づく、
前記第１のＣＣおよび前記第２のＣＣのうちの少なくとも１つのためのハイブリッド自動再送要求（ＨＡＲＱ）タイミングを決定するための手段と、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、
前記決定されたＨＡＲＱタイミングに少なくとも部分的に基づいて前記第１のＣＣおよび前記第２のＣＣのうちの前記少なくとも１つを使用して通信するための手段と
を備え、
前記ｅＩＭＴＡの対象となる前記少なくとも１つのＣＣが前記１次ＣＣであり、ＰＵＣＣＨの前記数が１であり、前記１つのＰＵＣＣＨが前記１次ＣＣ上にある場合、前記１次ＣＣと前記２次ＣＣの両方のための前記ＨＡＲＱタイミングが、前記１次ＣＣの半静的ＤＬ／ＵＬサブフレーム構成に基づく、装置。
【請求項９】
ワイヤレス通信のための装置であって、
少なくとも第１のコンポーネントキャリア（ＣＣ）と第２のＣＣとを備える構成を受信するための手段と、前記構成が、前記第１のＣＣおよび前記第２のＣＣが時間領域複信（ＴＤＤ）キャリアタイプを有するか周波数領域複信（ＦＤＤ）キャリアタイプを有するか、前記第１のＣＣおよび前記第２のＣＣの１次もしくは２次のＣＣとしての指定、または物理アップリンク制御チャネル（ＰＵＣＣＨ）の数のうちの少なくとも１つに少なくとも部分的に基づく、
前記第１のＣＣおよび前記第２のＣＣのうちの少なくとも１つのためのハイブリッド自動再送要求（ＨＡＲＱ）タイミングを決定するための手段と、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、
前記決定されたＨＡＲＱタイミングに少なくとも部分的に基づいて前記第１のＣＣおよび前記第２のＣＣのうちの前記少なくとも１つを使用して通信するための手段と
を備え、
前記ｅＩＭＴＡの対象となる前記少なくとも１つのＣＣが前記２次ＣＣであり、前記１次ＣＣがＴＤＤキャリアタイプである場合、前記１次ＣＣと前記２次ＣＣの両方のための前記ＨＡＲＱタイミングが、前記２次ＣＣの半静的ＤＬ／ＵＬサブフレーム構成に基づく、装置。
【請求項１０】
ワイヤレス通信のための装置であって、
少なくとも第１のコンポーネントキャリア（ＣＣ）と第２のＣＣとを備える構成を受信するための手段と、前記構成が、前記第１のＣＣおよび前記第２のＣＣが時間領域複信（ＴＤＤ）キャリアタイプを有するか周波数領域複信（ＦＤＤ）キャリアタイプを有するか、前記第１のＣＣおよび前記第２のＣＣの１次もしくは２次のＣＣとしての指定、または物理アップリンク制御チャネル（ＰＵＣＣＨ）の数のうちの少なくとも１つに少なくとも部分的に基づく、
前記第１のＣＣおよび前記第２のＣＣのうちの少なくとも１つのためのハイブリッド自動再送要求（ＨＡＲＱ）タイミングを決定するための手段と、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、
前記決定されたＨＡＲＱタイミングに少なくとも部分的に基づいて前記第１のＣＣおよび前記第２のＣＣのうちの前記少なくとも１つを使用して通信するための手段と
を備え、
前記ｅＩＭＴＡの対象となる前記少なくとも１つのＣＣが前記２次ＣＣであり、前記１次ＣＣがＦＤＤキャリアタイプである場合、前記２次ＣＣのための前記ＨＡＲＱタイミングが、前記２次ＣＣの動的ＤＬ／ＵＬサブフレーム構成に基づく、装置。
【請求項１１】
ワイヤレス通信のための装置であって、
少なくとも第１のコンポーネントキャリア（ＣＣ）と第２のＣＣとを備える構成を受信するための手段と、
前記第１のＣＣおよび前記第２のＣＣのうちの少なくとも１つのためのハイブリッド自動再送要求（ＨＡＲＱ）タイミングを決定するための手段と、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、前記ＨＡＲＱタイミングを決定するための前記手段が、アップリンク制御情報（ＵＣＩ）報告のためのＨＡＲＱタイミングを決定することを備え、前記ＨＡＲＱタイミングが、前記ＵＣＩ報告を送るための１つまたは複数のサブフレームを示す、
前記決定されたＨＡＲＱタイミングに少なくとも部分的に基づいて前記第１のＣＣおよび前記第２のＣＣのうちの前記少なくとも１つを使用して通信するための手段と
前記ＵＣＩ報告が前記ｅＩＭＴＡの対象となる前記少なくとも１つのＣＣのためのものかどうか、または、前記ＵＣＩ報告が固定のサブフレームに関連しているか、動的に決定されたサブフレームに関連しているかに基づいて前記ＵＣＩの送信を優先順位付けするための手段と
を備える装置。
【請求項１２】
ワイヤレス通信のための装置であって、
少なくとも第１のコンポーネントキャリア（ＣＣ）と第２のＣＣとを備える構成を受信するための手段と、
前記第１のＣＣおよび前記第２のＣＣのうちの少なくとも１つのためのハイブリッド自動再送要求（ＨＡＲＱ）タイミングを決定するための手段と、前記決定されたＨＡＲＱタイミングが、前記受信された構成、ならびに前記第１のＣＣおよび前記第２のＣＣのうちの前記少なくとも１つがトラフィック適応のための進化型干渉管理（ｅＩＭＴＡ）構成の対象であるかどうかに少なくとも部分的に基づく、前記ＨＡＲＱタイミングを決定するための前記手段が、アップリンク制御情報（ＵＣＩ）報告のためのＨＡＲＱタイミングを決定することを備え、前記ＨＡＲＱタイミングが、前記ＵＣＩ報告を送るための１つまたは複数のサブフレームを示す、
前記決定されたＨＡＲＱタイミングに少なくとも部分的に基づいて前記第１のＣＣおよび前記第２のＣＣのうちの前記少なくとも１つを使用して通信するための手段と
を備え、
前記ＵＣＩ報告を送るための前記ＨＡＲＱタイミングを決定するための前記手段が、ｅＩＭＴＡの対象となる前記少なくとも１つのＣＣが物理アップリンク制御チャネル（ＰＵＣＣＨ）を担持する前記ＣＣであるかどうかに少なくとも部分的に基づいて前記ＨＡＲＱタイミングを決定することを備える、装置。
【請求項１３】
前記ｅＩＭＴＡの対象となる前記少なくとも１つのＣＣがＰＵＣＣＨを担持する前記ＣＣである場合、前記ｅＩＭＴＡの対象となる前記少なくとも１つのＣＣ上でＵＣＩ報告を送るための前記ＨＡＲＱタイミングが、動的に決定されたアップリンクサブフレームを使用する、請求項１２に記載の装置。
【請求項１４】
前記ｅＩＭＴＡの対象となる前記少なくとも１つのＣＣがＰＵＣＣＨを担持する前記ＣＣでない場合、前記ＰＵＣＣＨを担持する前記ＣＣ上でＵＣＩ報告を送るための前記ＨＡＲＱタイミングが、固定のアップリンクサブフレームを使用する、請求項１２に記載の装置。
【請求項１５】
コンピュータ上で実行されるとき、請求項１−７のうちのいずれか１項の方法を実行する、コンピュータプログラム。